(57)【要約】【課題】洗濯機制御システム及び洗濯機制御システムの制御方法を提供する。【解決手段】本発明の一実施の形態による洗濯機制御システムは、モデル情報を格納するタグ格納部及び携帯用機器がタグされる場合、モデル情報を送信する送受信部を有するタグ部を有する洗濯機と、タグ部とタグする場合、モデル情報を受信するタグ通信モジュール、サーバからモデル情報にマッチングされる複数の運転コースに関する情報を受信するインターネットモジュール、各種情報を表示するディスプレイ及びディスプレイに複数の運転コースを含む運転コース目録を表示する制御ユニットを有する携帯用機器とを備える。【選択図】図１
2014200691.tif 000002
【特許請求の範囲】
【請求項１】
モデル情報を格納するタグ格納部、及び、
携帯用機器がタグされる場合、前記モデル情報を送信する送受信部、
を有するタグ部を有する洗濯機と、
前記タグ部とタグする場合、前記モデル情報を受信するタグ通信モジュール、
サーバから前記モデル情報にマッチングされる複数の運転コースに関する情報を受信するインターネットモジュール、
各種情報を表示するディスプレイ、及び、
前記ディスプレイに前記複数の運転コースを含む運転コース目録を表示する制御ユニット、
を有する携帯用機器と、
を備える洗濯機制御システム。
【請求項２】
前記携帯用機器は、前記運転コース目録のうち、少なくとも何れか一つの運転コースを選択できる入力部をさらに備える、請求項１に記載の洗濯機制御システム。
【請求項３】
前記制御ユニットは、前記複数の運転コースのうち、少なくとも一つの前記運転コースが選択された場合、前記タグ部にタグするよう要請する情報を前記ディスプレイに表示する、請求項１に記載の洗濯機制御システム。
【請求項４】
前記タグ通信モジュールが前記タグ部とタグされた場合、前記制御ユニットは、前記選択された運転コースに関する情報を前記洗濯機に送信させる、請求項１に記載の洗濯機制御システム。
【請求項５】
前記洗濯機は、前記タグ部が前記運転コースに関する情報を受信した場合、前記運転コースに関する情報が受信されたことを出力する出力装置をさらに備える、請求項４に記載の洗濯機制御システム。
【請求項６】
前記タグ部が前記複数の運転コースのうち、選択された運転コースに関する情報を受信した場合、前記洗濯機は、受信された運転コースに関する情報に基づいて運転を行う、請求項１に記載の洗濯機制御システム。
【請求項７】
前記ディスプレイは、前記複数の運転コースのうち、選択された運転コースに対する説明を表示する、請求項１に記載の洗濯機制御システム。
【請求項８】
前記携帯用機器は、前記タグ通信モジュールと前記タグ部とがタグされた場合、音響信号を出力するスピーカーをさらに備える、請求項１に記載の洗濯機制御システム。
【請求項９】
前記ディスプレイは、前記タグ部と前記タグ通信モジュールとが通信中であることを表示する、請求項１に記載の洗濯機制御システム。
【請求項１０】
前記モデル情報は、前記洗濯機の製造メーカ、前記洗濯機のモデル名及び前記洗濯機が通信可能であるかどうかのうち、少なくとも何れか一つを含む、請求項１に記載の洗濯機制御システム。
【請求項１１】
前記洗濯機は、電源がオンになる場合、前記タグ格納部に前記運転コースに関する情報が格納されたかどうかを把握する制御部をさらに備える、請求項１に記載の洗濯機制御システム。
【請求項１２】
前記制御ユニットは、前記モデル情報に基づいて、前記サーバから前記運転コース目録を受信するかどうかを判断する、請求項１に記載の洗濯機制御システム。
【請求項１３】
コース選択モードを実行するステップと、
タグ通信モジュールがアクティブになったかどうかを判断するステップと、
洗濯機とタグして、前記洗濯機の機種を表すモデル情報を受信するステップと、
サーバに接続するステップと、
前記サーバから、前記モデル情報にマッチングされる複数の運転コースに関する情報を受信するステップと、
前記複数の運転コースを含む運転コース目録を表示するステップと、
を含む洗濯機制御システムの制御方法。
【請求項１４】
前記複数の運転コースのうち、少なくとも何れか一つを選択するステップをさらに含み、
前記複数の運転コースのうち、少なくとも何れか一つの運転コースが選択された場合、前記洗濯機とタグするよう要請する、請求項１３に記載の洗濯機制御システムの制御方法。
【請求項１５】
前記複数の運転コースのうち、少なくとも何れか一つを選択するステップは、
前記複数の運転コースのうち、少なくとも何れか一つの運転コースが選択された場合、選択された運転コースに対する説明を表示する、請求項１４に記載の洗濯機制御システムの制御方法。
【請求項１６】
前記洗濯機に前記選択された運転コースに関する情報を送信するステップをさらに含む、請求項１４に記載の洗濯機制御システムの制御方法。
【請求項１７】
前記洗濯機は、前記複数の運転コースのうち、選択された運転コースに関する情報を受信し、前記運転コースに関する情報に基づいて洗濯運転を行うステップをさらに含む、請求項１３に記載の洗濯機制御システムの制御方法。
【請求項１８】
前記モデル情報を受信するステップは、
前記モデル情報が受信される間、通信中である情報を表示する、請求項１３に記載の洗濯機制御システムの制御方法。
【請求項１９】
前記モデル情報は、前記洗濯機の製造メーカ、前記洗濯機のモデル名、現在洗濯機にダウンロードされているコース及び前記洗濯機が通信可能であるかどうかのうち、少なくとも何れか一つを含む、請求項１３に記載の洗濯機制御システムの制御方法。
【請求項２０】
前記モデル情報を受信するステップは、前記モデル情報に基づいて、前記サーバから前記運転コース目録を受信するかどうかを判断する、請求項１３に記載の洗濯機制御システムの制御方法。
【発明の詳細な説明】
【技術分野】
【０００１】
本発明は、一実施の形態の洗濯機制御システム及び洗濯機制御システムの制御方法に関する。
【背景技術】
【０００２】
一般に、洗濯物処理機器は、洗濯機、乾燥器及び乾燥兼用洗濯機などを含む。
【０００３】
洗濯機は、水、洗剤及び機械的作用を利用して、衣服、寝具などの洗濯物に付いた汚染物質が除去されるように、洗濯、濯ぎ、脱水などの過程を行う装置である。このような洗濯機は、洗濯物が投入されたドラムが垂直軸を中心に回転するトップロード方式と、水平軸を中心に回転するフロントロード方式とに区分される。
【０００４】
乾燥器は、被乾燥物に温風を加えて乾燥させる装置であって、回転するドラム内に被乾燥物を投入し、ドラム内に温風または冷風を加えて乾燥させる装置である。
【０００５】
乾燥兼用洗濯機は、洗濯機能と乾燥機能を共に揃えたものであって、回転するドラム内に衣類などの洗濯物を投入し、所望の機能を選択して洗濯または乾燥を行う装置である。
【０００６】
最近では、洗濯機の使用及び診断を容易にすることができるように、ガイドを提供する方法に対する重要性が台頭されている。洗濯機のモデルにかかわらず、ユーザが携帯する携帯用機器を利用して、洗濯機を手軽に使用または診断する方式に対する議論が必要なのが現状である。
【発明の概要】
【発明が解決しようとする課題】
【０００７】
本発明の一実施の形態は、携帯用機器を利用して、洗濯機の運転コースを変更する洗濯機制御システム及び洗濯機制御システムの制御方法を提供できる。
【課題を解決するための手段】
【０００８】
本発明の一実施の形態による洗濯機制御システムは、モデル情報を格納するタグ格納部及び携帯用機器がタグされる場合、前記モデル情報を送信する送受信部を有するタグ部を有する洗濯機と、前記タグ部とタグする場合、前記モデル情報を受信するタグ通信モジュール、サーバから前記モデル情報にマッチングされる複数の運転コースに関する情報を受信するインターネットモジュール、各種情報を表示するディスプレイ及び前記ディスプレイに前記複数の運転コースを含む運転コース目録を表示する制御ユニットを有する携帯用機器とを備える。
【０００９】
本発明の一実施の形態による洗濯機制御システムの制御方法は、コース選択モードを実行するステップと、タグ通信モジュールがアクティブになったかどうかを判断するステップと、洗濯機とタグして、前記洗濯機の機種を表すモデル情報を受信するステップと、サーバに接続するステップと、前記サーバから、前記モデル情報にマッチングされる複数の運転コースに関する情報を受信するステップと、前記複数の運転コースを含む運転コース目録を表示するステップとを含む。
【発明の効果】
【００１０】
本発明の一実施の形態の洗濯機制御システム及び洗濯機制御システムの制御方法は、近距離無線通信（ＮＦＣ：Ｎｅａｒ  Ｆｉｅｌｄ  Ｃｏｍｍｕｎｉｃａｔｉｏｎ）を利用して手軽に携帯用機器に洗濯機の情報を受信することができるから、ユーザに直観的に使用方法を提供できる。
【００１１】
本発明の一実施の形態の洗濯機制御システム及び洗濯機制御システムの制御方法は、携帯用機器が洗濯機からモデル情報を受信し、運転コースを制御する動作を行うことができるかどうかを把握して、ユーザに提供される情報の信頼性を向上させることができる。
【００１２】
本発明の一実施の形態の洗濯機制御システム及び洗濯機制御システムの制御方法は、ユーザが携帯用機器を利用して洗濯機が運転できる運転コースに対する情報の提供を受けることができるから、ユーザに洗濯機の使用を容易にするようにすることができる。
【００１３】
本発明の一実施の形態の洗濯機制御システム及び洗濯機制御システムの制御方法は、携帯用機器または洗濯機がタグを維持しなければならないという信号またはタグが正しく行われたという信号を出力して、洗濯機と携帯用機器とが正しく情報を交換できるようにすることができる。
【００１４】
本発明の一実施の形態の洗濯機制御システム及び洗濯機制御システムの制御方法は、携帯用機器で運転コースを選択し、洗濯機とタグする場合、洗濯機は、ユーザが携帯用機器で選択した運転コースを行って、洗濯機の使用の便宜性を図ることができる。
【図面の簡単な説明】
【００１５】
【図１】本発明の一実施の形態による洗濯機制御システムの構成要素を示す図である。
【図２】本発明の一実施の形態による洗濯機制御システムの洗濯機の構造を示す斜視図である。
【図３】本発明の一実施の形態による洗濯機制御システムの洗濯機の構成要素を示すブロック図である。
【図４】本発明の一実施の形態による洗濯機制御システムの携帯用機器の構造を示す斜視図である。
【図５】本発明の一実施の形態による洗濯機制御システムの携帯用機器の構成要素を示すブロック図である。
【図６】本発明の一実施の形態による洗濯機制御システムの動作を示す図である。
【図７】本発明の一実施の形態による洗濯機制御システムの動作を示す図である。
【図８】本発明の一実施の形態による洗濯機制御システムの動作を示す図である。
【図９】本発明の一実施の形態による洗濯機制御システムの動作を示す図である。
【図１０】本発明の一実施の形態による洗濯機制御システムの動作を示す図である。
【図１１】本発明の一実施の形態による洗濯機制御システムの制御方法を示すフローチャートである。
【図１２】本発明の一実施の形態による洗濯機制御システムの通信過程を示す呼処理図である。
【発明を実施するための形態】
【００１６】
本発明の利点及び特徴、そしてそれらを達成する方法は、添付図面と共に詳細に後述されている実施の形態を参照すれば明確になるはずである。しかしながら、本発明は、以下に開示される実施の形態に限定されるものではなく、互いに異なる多様な形態に具現化されることができ、但し本実施の形態は、本発明の開示が完全になるようにし、本発明が属する技術分野における通常の知識を有した者に発明の範ちゅうを完全に知らせるために提供されるものであり、本発明は、請求項の範ちゅうにより定義されるだけである。明細書全般にわたって同じ参照番号で表示された部分は、同じ構成要素を示す。
【００１７】
多様な要素を説明するために第１、第２などの用語が利用されることができるが、このような要素らは、このような用語らにより制限されない。このような用語は、一要素を他の要素から区別するために利用されるだけである。例えば、本発明の範囲から逸脱せずに、第１接触が第２接触と呼ばれても良く、同様に、第２接触が第１接触と呼ばれても良く、前記第１接触及び第２接触とも接触であるが、同じ接触でない場合もある。
【００１８】
発明の説明において用いられる用語は、ただ特定実施の形態を説明するためのものであり、発明を制限するように意図されたものではない。発明の説明及び添付された請求項において利用されるとき、単数の形態は、文脈上明白に異なるように表現されない限り、複数の形態ももちろん含むように意図されたものである。表示の使用は、その用語の単数用法または複数形態のうちのいずれか一つまたは両方を表すことができ、その逆の場合も同様である。
【００１９】
「及び／または」という用語は、羅列した関連項目のうち、何れか一つ以上の任意のすべての可能な組み合わせを参照し、それらを包括するものであることを理解できるはずである。本明細書で使用される「含む（ｃｏｍｐｒｉｓｅｓ）」及び／または「含んでいる（ｃｏｍｐｒｉｓｉｎｇ）」という用語は、明示された特徴、整数、ステップ、動作、要素及び／またはコンポーネントの存在を指定するが、一つ以上の他の特徴、整数、ステップ、動作、要素、コンポーネント及び／またはそれらのグループの存在または追加を排除しないことをさらに理解できるはずである。
【００２０】
「〜する場合（ｉｆ）」という用語は、「〜するとき（ｗｈｅｎ）」または「〜時（ｕｐｏｎ）」または文脈に応じて「決定したことに応答して（ｉｎ  ｒｅｓｐｏｎｓｅ  ｔｏ  ｄｅｔｅｒｍｉｎｉｎｇ）」または「検出したことに応答して」を意味すると解析されることができる。同様に「決定された場合」または「［明示された条件またはイベントが］検出された場合」という構文は、文脈に応じて「決定時」または「決定したことに応答して」または「［明示された条件またはイベントの］検出時」または「［明示された条件またはイベントを］検出したことに応答して」を意味すると解析されることができる。
【００２１】
以下、コンピュータ装置、そういう装置のためのユーザインタフェース、及びそういう装置を利用するための関連プロセスの実施の形態が説明される。
【００２２】
以下、図面を参照して本発明の実施の形態について具体的に説明する。本発明の実施の形態を説明するにおいて、洗濯物処理機器の中で洗濯機を例に挙げて説明するが、これに限定されず、スチーム噴射機能を備えた洗濯機、乾燥兼用洗濯機または乾燥器などのその他洗濯物処理機器にも本発明の思想が及ぼされる範囲内で適用または専用できることを明示する。
【００２３】
図１は、本発明の一実施の形態による洗濯機制御システムの構成要素を示す図である。
【００２４】
図１に示すように、本発明の一実施の形態による洗濯機制御システムは、モデル情報を格納するタグ格納部及び携帯用機器がタグされる場合、モデル情報を送信する送受信部を有するタグ部を備える洗濯機１及びタグ部とタグする場合、モデル情報を受信するタグ通信モジュール、サーバからモデル情報にマッチングされる複数の運転コースに関する情報を受信するインターネットモジュール、各種情報を表示するディスプレイ及びディスプレイに前記複数の運転コースを含む運転コース目録を表示する制御ユニットを有する携帯用機器２を備えることができる。
【００２５】
洗濯機１は、タグ部１４０を有することができる。タグ部１４０は、モデル情報を格納するタグ格納部及び携帯用機器がタグされる場合、モデル情報を送信する送受信部を有することができる。
【００２６】
携帯用機器２は、洗濯機１と通信できる。携帯用機器２は、洗濯機１のタグ部１４０とタグされる場合、データ通信を行うことのできる通信装置を有することができる。
【００２７】
携帯用機器２は、洗濯機１からデータを受信し、そのデータを視覚的に表示するディスプレイを有することができる。携帯用機器２は、洗濯機のモデル情報に対応する複数の運転コースを含む運転コース目録をディスプレイへ表示し、ユーザが運転コースを選択できるインターフェスを表示できる。
【００２８】
携帯用機器２は、洗濯機１からモデル情報を受信する場合、モデル情報に基づいて、運転コース選択モードを実行できるかどうかを判断できる。
【００２９】
携帯用機器２は、外部のサーバ３と通信できる。サーバ３は、洗濯機１の情報を格納することができる。携帯用機器２は、洗濯機１から受信したモデル情報に対応する運転コース目録をサーバ３に要請し、受信することができる。携帯用機器２とサーバ３とは、例えば、Ｉ２Ｃ（Ｉｎｔｅｒ−Ｉｎｔｅｒｇｒａｔｅｄ  Ｃｉｒｃｕｉｔ）バスを利用して通信できるが、その通信方法に限定しない。
【００３０】
図２は、本発明の一実施の形態による洗濯機制御システムの洗濯機の構造を示す斜視図である。
【００３１】
図２に示すように、本発明の一実施の形態による洗濯機１は、外観を形成するケース、前記ケース内に回転可能に備えられて衣類などの洗濯物を収容するドラムを有することができる。ドラムの内周面には、リフターが備えられて、ドラムの回転により衣類を持ち上げてから落とすことができる。
【００３２】
ケースは、前方にドラムに布を入れるように開放される衣類投入口を形成できる。ケースの前面の上側には、洗濯機の作動状態に対する各種情報を表示する出力部の一つである表示装置１２０が配置されることができる。表示装置１２０は、洗濯機の制御情報を表示するＬＣＤ、ＬＥＤなどの光源を含むことができるが、これに限定しない。
【００３３】
衣類投入口には、ドア１１０が設置されることができる。ドア１１０は、ドラムに布を入れる入口である衣類投入口を開閉できる。ドア１１０は、ユーザによって手動で操作されるか、または電子制御によって動作できる。ドア１１０は、回転可能なようにケースに連結されることができる。
【００３４】
ケースの前方には、一つ以上のボタン１３０が配置されることができる。図２において、ボタン１３０は、ユーザのタッチなどで操作される機械式ボタンとして示されたが、これに限定しなく、ボタン１３０は、タッチパッドを含んで、タッチを認識できる。ボタン１３０は、洗濯機を作動させる制御命令に対応できる。
【００３５】
図２では、洗濯機の外観に対して示しているが、これは、一つの実施の形態に過ぎず、その外観または形式には限定しない。
【００３６】
図３は、本発明の一実施の形態による洗濯機制御システムの洗濯機の構成要素を示すブロック図である。
【００３７】
図３に示すように、本発明の一実施の形態による洗濯機制御システムの洗濯機は、モデル情報を格納するタグ格納部２４２及び携帯用機器がタグされる場合、モデル情報を送信する送受信部２４４を有するタグ部２４０を備えることができる。
【００３８】
制御部２１０は、洗濯機の動作を制御できる。制御部２１０は、洗濯機の他の構成要素と制御信号をやりとりすることができる。制御部２１０は、他の構成要素に信号を送信して、各々を制御できる。
【００３９】
制御部２１０は、データを処理するために、メモリ２２０に格納されたデータを表示装置２３０へ表示するか、またはメモリ２２０に格納されたプログラムを行うことができる。
【００４０】
メモリ２２０は、高速のランダムアクセスメモリを有することができる。メモリ２２０は、一つ以上の磁気ディスク格納装置、フラッシュメモリ装置、またはその他不揮発性固相メモリ装置などの不揮発性メモリも有することができるが、これに限定しなく、読み取り可能な格納媒体を有することができる。
【００４１】
例えば、メモリ２２０は、ＥＥＰ−ＲＯＭ（Ｅｌｅｃｔｒｏｎｉｃａｌｌｙ  Ｅｒａｓａｂｌｅ  ａｎｄ  Ｐｒｏｇｒａｍｍａｂｌｅ  Ｒｅａｄ  Ｏｎｌｙ  Ｍｅｍｏｒｙ）を含むことができるが、これに限定しない。ＥＥＰ−ＲＯＭは、制御部２１０により情報の書き込み及び消去が行われることができる。ＥＥＰ−ＲＯＭは、電源がオフになって電力供給が停止しても、内部に記憶されている情報が消去されずに維持された記憶デバイスでありうる。
【００４２】
メモリ２２０は、制御部２１０と連動して各種プログラムまたはデータなどを格納することができる。メモリ２２０が格納するプログラムは、制御部２１０によって実行されることができる。
【００４３】
制御部２１０は、洗濯機のモデル情報をメモリ２２０に格納することができる。制御部２１０は、洗濯機の各種運転を制御できる。タグ部２４０が選択された運転コースに関する情報を受信した場合、洗濯機は、受信された運転コースに関する情報に基づいて、運転を行うことができる。例えば、洗濯機の制御部２１０は、タグ部２４０が受信したユーザが選択した運転コースに基づいて、洗濯機の運転を行うことができる。
【００４４】
制御部２１０は、タグ部２４０と携帯用機器とが通信を行う場合、現在通信を行っている途中であるか、または通信が正しく行われたかどうかを把握できる。制御部２１０は、携帯用機器と洗濯機との間の通信が正しく行われたことを出力装置２３０へ表示できる。
【００４５】
洗濯機は、タグ部２４０が運転コースに関する情報を受信した場合、運転コースに関する情報が正しく受信されたことを表す出力装置２３０を有することができる。出力装置２３０は、視覚的な信号を出力する表示装置と聴覚的な信号を出力するスピーカーなど信号を出力する多様な手段を有することができる。
【００４６】
制御部２１０は、洗濯機の電源がオンになる場合、タグ格納部２４２に運転コースに関する情報が格納されたかどうかを把握できる。制御部２１０は、一定の周期に応じてまたはイベントが発生する場合、タグ部２４０が携帯用機器から運転コースに関する情報を受信したかどうかを把握できる。
【００４７】
制御部２１０は、タグ部２４０が運転コースに関する情報を受信したことを把握した場合、受信した運転コースに関する情報に基づいて、洗濯機を制御できる。
【００４８】
タグ部２４０は、タグ格納部２４２にモデル情報を格納することができる。モデル情報は、洗濯機の身元に対する情報でありうる。モデル情報は、洗濯機の製造メーカ、洗濯機のモデル名、現在洗濯機にダウンロードされているコース及び洗濯機が通信可能であるかどうかのうち、少なくとも何れか一つを含むことができる。
【００４９】
タグ部２４０は、近距離無線通信を行うことができるモジュールを備えた外部機器と通信できる。前記外部機器は、携帯用端末機などを有する携帯用機器でありうる。タグ部２４０は、外部機器と通信できる。タグ部２４０は、データを格納するタグ格納部２４２と外部と通信する送受信部２４４とを備えることができる。タグ部２４２は、近距離無線通信（ＮＦＣ：Ｎｅａｒ  Ｆｉｅｌｄ  Ｃｏｍｍｕｎｉｃａｔｉｏｎ）を行うことができる。
【００５０】
タグ部２４０は、洗濯機１のモデル情報を格納することができる。モデル情報は、洗濯機の製造メーカ、洗濯機のモデル名及び洗濯機が通信可能であるかどうかなどを含むことができる。
【００５１】
近距離無線通信は、単純タグ動作で作動できる。近距離無線通信は、データを所望のとおりに加工して送受信できる。近距離無線通信は、多様な機器間の互換が可能で、近距離無線通信モジュールを含むすべての端末機間でデータ規格を合せると、データ同期化が可能になることができる。
【００５２】
近距離無線通信は、一般に１０ｃｍ未満の通信距離内で通信を行うことができる。近距離無線通信は、通信距離が短くて、個人情報の流出のおそれが少なくありうる。タグ部２４０は、近距離無線通信機能がアクティブになる場合、タグされた機器からデータを読んだり書き込んだりすることができる。
【００５３】
タグ部２４０は、携帯用機器にモデル情報を送信できる。タグ部２４０は、携帯用機器から運転コースに関する情報を受信することができる。タグ部２４０は、制御部２１０の信号を受信し、それに対応してデータを格納するか、または送受信できる。
【００５４】
図４は、本発明の一実施の形態による洗濯機制御システムの携帯用機器４００の構造を示す斜視図である。
【００５５】
以下、説明の便宜上、フォルダタイプ、バータイプ、スイングタイプ、スライダタイプなどのような様々なタイプの携帯端末機のうち、全面タッチスクリーンが備えられている、バータイプの携帯端末機を例に挙げて説明する。しかし、本発明は、バータイプの携帯端末機に限定されるものではなく、前述したタイプを含んだすべてのタイプの携帯端末機に適用されることができる。
【００５６】
図４に示すように、本発明の一実施の形態による洗濯機制御システムの携帯用機器４００は、洗濯機のタグ部とタグして、モデル情報を受信する通信装置及び各種情報を表示するディスプレイ４５１を備えることができる。
【００５７】
ディスプレイ４５１は、タッチパッドが階層構造で重なることによって、ディスプレイ４５１がタッチスクリーンとして動作して、ユーザのタッチによる情報の入力が可能なように構成することもできる。
【００５８】
スピーカー４５３ａは、レシーバーまたはスピーカーの形態で具現されることができる。カメラ４２１ａは、ユーザなどに対するイメージまたは動画を撮影するのに適切な形態で具現されることができる。マイク４２３は、ユーザの音声、その他音などを受けるために適切な形態で具現されることができる。
【００５９】
携帯用機器４００は、少なくとも一つの入力部を備えることができる。例えば、携帯用機器４００は、第１ないし第３入力部２３０ａ、２３０ｂ、２３０ｃを備えることができる。機能的な面において、第１ないし第３入力部２３０ａ、２３０ｂ、２３０ｃは、通話、マウスポイント移動、画面スクロール、開始、終了などのような命令を入力するためのものである。
【００６０】
図５は、本発明の一実施の形態による洗濯機制御システムの携帯用機器の構成要素を示すブロック図である。
【００６１】
図５に示すように、一実施の形態による洗濯機制御システムの携帯用機器は、各種制御を行う制御ユニット３１０、制御ユニット３１０と連動して、各種プログラムまたはデータを格納する格納部３２０、洗濯機からモデル情報を受信する通信装置３３０、及び各種情報を表示するディスプレイ３４０を備えることができる。
【００６２】
制御ユニット３１０は、携帯用機器の動作を制御できる。制御ユニット３１０は、データを処理するために格納部３２０に格納されたデータをディスプレイ３４０に表示するか、または格納部３２０に格納されたプログラムを行うことができる。
【００６３】
制御ユニット３１０は、通信装置３３０が受信したモデル情報、少なくとも一つ以上の運転コースに関する情報または運転コース目録を格納部３２０に格納することができる。制御ユニット３１０は、通信装置３３０が受信したモデル情報、運転コースに関する情報または運転コース目録をディスプレイ３４０に表示できる。
【００６４】
制御ユニット３１０は、通信装置３３０が受信したモデル情報に基づいて洗濯機の運転コースを調整する運転コース選択モードの遂行可能有無を判断できる。例えば、制御ユニット３１０は、診断モードが支援する洗濯機製造メーカ及び洗濯機モデルであるかどうかを把握できる。制御ユニット３１０は、モデル情報に基づいて洗濯機が近距離無線通信を行うことができるかどうかを把握して、診断モードが行われることができるかどうかを把握できる。
【００６５】
制御ユニット３１０は、運転コース目録をディスプレイ３４０に表示できる。制御ユニット３１０は、ディスプレイ３４０に運転コース目録が含む複数の運転コースのうち、選択された運転コースに対する説明を表示できる。
【００６６】
制御ユニット３１０は、運転コース目録のうち、少なくとも一つの運転コースが選択された場合、洗濯機のタグ部にタグをするよう要請する情報をディスプレイ３４０に表示できる。
【００６７】
制御ユニット３１０は、タグ通信モジュール３３２が洗濯機のタグ部とタグされた場合、選択された運転コースに関する情報をタグ部に送信するようにすることができる。
【００６８】
ディスプレイ３４０は、各種情報を表示できる。ディスプレイ３４０は、情報を視覚的に表示する手段でありうる。例えば、ディスプレイ３４０は、液晶ディスプレイ（ｌｉｑｕｉｄ  ｃｒｙｓｔａｌ  ｄｉｓｐｌａｙ）、薄膜トランジスタ液晶ディスプレイ（ｔｈｉｎ  ｆｉｌｍ  ｔｒａｎｓｉｓｔｏｒ−ｌｉｑｕｉｄ  ｃｒｙｓｔａｌ  ｄｉｓｐｌａｙ）、有機発光ダイオード（ｏｒｇａｎｉｃ  ｌｉｇｈｔ−ｅｍｉｔｔｉｎｇ  ｄｉｏｄｅ）、フレキシブルディスプレイ（ｆｌｅｘｉｂｌｅ  ｄｉｓｐｌａｙ）、３次元ディスプレイ（３Ｄ  ｄｉｓｐｌａｙ）のうち、少なくとも一つを有することもできる。
【００６９】
携帯用機器の具現形態によって、ディスプレイ３４０は、２個以上存在することもできる。例えば、携帯用機器に外部ディスプレイ部（図示せず）と内部ディスプレイ部（図示せず）とが同時に備えられることができる。
【００７０】
ディスプレイ３４０は、タグ通信モジュール３３２が洗濯機のタグ部と通信中であるか、通信を完了した場合、それぞれに対応して情報を表示できる。ディスプレイ３４０は、通信の進行または完了に対する情報をユーザに提供して、タグが正しくならなくて発生できる通信上のエラーを予防できる。
【００７１】
ディスプレイ３４０ユーザが洗濯機を動作させる運転コースを選択できるように、運転コース目録を表示できる。ディスプレイ３４０は、選択された運転コースに対する説明を表示できる。運転コース目録は、洗濯機の動作する方法である複数の運転コース複数を羅列した目録でありうる。
【００７２】
携帯用機器は、運転コース目録が含む複数の運転コースのうち、少なくとも何れか一つを選択できる入力部３６０をさらに備えることができる。入力部３６０は、機械式ボタンでありうるが、ディスプレイ３４０がタッチ入力を感知するタッチパッドの場合、ディスプレイ３４０と一体に形成されることができる。
【００７３】
スピーカー３５０は、モデル情報または運転コース目録を音響信号で出力できる。例えば、制御ユニット３１０は、入力部３６０がデータを音響で出力してくれとの入力を受けた場合、スピーカー３５０からモデル情報または運転コース目録を音響信号として出力できる。
【００７４】
スピーカー３５０は、タグ通信モジュール３３２と洗濯機のタグ部とがタグされる場合、音響信号を出力できる。スピーカー３５０は、タグ通信モジュール３３２と洗濯機のタグ部とが通信を完了した場合、それを知らせる音響信号を出力できる。
【００７５】
通信装置３３０は、近距離無線通信を行うことができるタグ通信モジュール３３２を備えることができる。タグ通信モジュール３３２は、洗濯機のタグ部と一定距離以内に位置すると、タグ部と通信を行うことができる。通信装置３３０は、タグ部からモデル情報などを受信することができる。
【００７６】
通信装置３３０は、外部のサーバと通信できるインターネットモジュール３３４をさらに備えることができる。インターネットモジュール３３４は、インターネットプロトコルに従ってサーバに接続して、情報を送受信できる。インターネットモジュール３３４は、洗濯機のモデル情報に対応する複数の運転コースに関する情報または運転コース目録をサーバに要請できる。運転コース目録は、複数の運転コースに関する情報を含むことができるが、これに限定しない。インターネットモジュール３３４は、洗濯機のモデル情報に対応する複数の運転コースに関する情報または運転コース目録をサーバから受信することができる。運転コース目録は、洗濯機の動作する方法である運転コースを複数羅列した目録でありうる。
【００７７】
図６ないし図１０は、本発明の一実施の形態による洗濯機診断システムの動作を示す図である。
【００７８】
図６に示すように、携帯用機器２は、入力部を介して運転コース選択モードの要請を受けることができる。例えば、ディスプレイ４５１がタッチ入力を認識するタッチスクリーンの場合、入力部は、ディスプレイ４５１に備えられることができ、図６ないし図１０は、タッチスクリーンを有する携帯用機器２を示している。
【００７９】
携帯用機器２は、運転コース選択モードが選択された場合、ディスプレイ４５１へ洗濯機とタグされなければならないということを表示できる。図６にて、運転コース選択モードを選択するアイコンは、コースダウンロードという文字を表示するように示しているが、それに限定せず、表示する文字の内容は変わりうる。
【００８０】
ユーザは、洗濯機とタグされなければならないということを表示したディスプレイ４５１を見て、洗濯機のタグ部にタグしなければならないことを感知できる。
【００８１】
図７に示すように、携帯用機器２と洗濯機１のタグ部１４０とはタグされうる。
【００８２】
携帯用機器２と洗濯機１のタグ部１４０とが一定距離以内に位置する場合、携帯用機器２の通信装置と洗濯機１のタグ部１４０とが通信を始めることができる。
【００８３】
タグ部１４０は、携帯用機器２の通信装置に洗濯機のモデル情報を送信できる。モデル情報は、パケットのヘッダに含まれることができるが、これに限定しない。タグ部１４０と携帯用機器２の通信装置は、一定時間の間に通信を行うことができる。通信を行う間に、タグが可能な距離を維持するように、携帯用機器２のディスプレイは、通信が行われていることを表示できる。
【００８４】
携帯用機器２の制御ユニットは、モデル情報を受信して、運転コース選択モードを行うことができるかどうかを把握できる。受信したモデル情報から洗濯機が運転コース選択モードを行うことができない製品として把握される場合、携帯用機器２は、ディスプレイ４５１に運転コース選択モードを行うことができないことを表示できる。
【００８５】
携帯用機器２は、洗濯機のタグ部と携帯用機器のタグ通信モジュールとが通信している間に、ディスプレイ４５１へ継続的にタグを維持しなければならないという情報を表示できる。ディスプレイ４５１がタグを維持しなければならないという情報を表示し続けて、近距離無線通信の信頼性を確保することができる。
【００８６】
図８に示すように、携帯用機器２がモデル情報に基づいて運転コース選択モードを行うことができると判断した場合、インターネットモジュールは、サーバから運転コース目録を受信することができる。
【００８７】
インターネットモジュールがサーバから運転コースに関する情報または運転コース目録を受信した場合、携帯用機器２は、ディスプレイにモデル情報、運転コースに関する情報または運転コース目録を表示できる。
【００８８】
ディスプレイ４５１は、現在洗濯機にダウンロードされているコースが何であるかを表示できる（Ａ）。モデル情報は、洗濯機の製造メーカ、洗濯機のモデル名、現在洗濯機にダウンロードされているコース及び洗濯機が通信できるかどうかのうち、少なくとも何れか一つを含むことができる。ディスプレイ４５１は、運転コース目録を表示し、運転コース目録が含む複数の運転コースの各々を選択するアイコンを表示できる（Ｂ）。
【００８９】
図９に示すように、携帯用機器２は、ユーザから少なくとも何れか一つの運転コースを選択されることができる（ａ）。携帯用機器は、運転コースを選択された場合、選択された運転コースが何であるかを表示できる。携帯用機器２は、運転コースが選択された場合、選択された運転コースを説明する情報を表示できる。
【００９０】
携帯用機器２は、運転コースが選択された場合、洗濯機のタグ部とタグされなければならないことを表示できる（ｂ）。例えば、携帯用機器２は、ディスプレイ４５１へスマートフォンをタグオンロゴに近く当てて下さいのような内容の文字及びそれに相応する絵などを表示できる。
【００９１】
図１０に示すように、携帯用機器２は、運転コースが選択された状態で洗濯機のタグ部１４０とタグされた場合、選択された運転コースを洗濯機のタグ部に送信できる。
【００９２】
携帯用機器２は、通信が進行中なのかまたは通信が正常に完了したのかをディスプレイ４５１に表示できる。例えば、携帯用機器２は、通信が正常に完了した場合、ダウンロード完了のような文字を表示して、通信が完了したことを表示できる（Ｃ）。携帯用機器２は、通信が正常に完了しない場合、再度タグしろとの情報を表示できるが、これに限定しない。
【００９３】
洗濯機１は、携帯用機器２から選択された運転コース情報を受信した場合、受信した運転コース情報に対応して、運転を行うことができる。
【００９４】
図１１は、本発明の一実施の形態による洗濯機制御システムの制御方法を示すフローチャートである。
【００９５】
図１１に示すように、本発明の一実施の形態による洗濯機制御システムの制御方法は、コース選択モードを実行するステップ（Ｓ５１０）、タグ通信モジュールがアクティブになったかどうかを判断するステップ（Ｓ５２０）、洗濯機とタグして、前記洗濯機の機種を表すモデル情報を受信するステップ（Ｓ５３０）、サーバに接続するステップ（Ｓ５４０）、サーバからモデル情報にマッチングされる複数の運転コースに関する情報を受信するステップ（Ｓ５５０）、及び複数の運転コースを含む運転コース目録を表示するステップ（Ｓ５６０）を含むことができる。
【００９６】
コース選択モードを実行するステップ（Ｓ５１０）にて、携帯用機器は、ユーザから運転コース選択モードを実行しろとの命令を受け取ることができる。携帯用機器は、運転コース選択モードを実行しろとの命令を受けた場合、洗濯機のタグ部とタグできる通信装置のタグ通信モジュールをアクティブにすることができる（Ｓ７２０）。
【００９７】
タグ通信モジュールがアクティブにならない場合、携帯用機器は、近距離無線通信が不可能であると表示し、通信装置をアクティブにすることを要請する情報を表示できる。タグ通信モジュールがアクティブになっている場合、携帯用機器は、タグしろとの情報を表示できる。
【００９８】
洗濯機とタグして、前記洗濯機の機種を表すモデル情報を受信するステップ（Ｓ５３０）にて、携帯用機器は、洗濯機のタグ部と一定の距離に位置する場合、タグ部と通信を行うことができる。携帯用機器は、モデル情報を受信して格納部に格納することができる。モデル情報は、洗濯機の製造メーカ、洗濯機のモデル名、現在洗濯機にダウンロードされているコース及び洗濯機の通信が可能かどうかのうち、少なくとも何れか一つを含むことができる。
【００９９】
モデル情報を受信するステップ（Ｓ５３０）にて、携帯用機器は、モデル情報が受信される間に通信中という情報を継続的に表示できる。モデル情報を受信した場合、携帯用機器は、モデル情報に基づいて、サーバから運転コース目録を受信するかどうかを判断できる。
【０１００】
サーバに接続するステップ（Ｓ５４０）にて、携帯用機器は、サーバにモデル情報にマッチングされる運転コースに関する情報をまたは運転コース目録を要請できる。サーバからモデル情報にマッチングされる複数の運転コースに関する情報を受信するステップ（Ｓ５５０）にて、携帯用機器は、モデル情報にマッチングされる運転コースに関する情報または運転コース目録を受信することができる。
【０１０１】
運転コース目録を表示するステップ（Ｓ５６０）にて、携帯用機器は、運転コース目録を表示できる。携帯用機器は、運転コース目録が含む複数の運転コースを表示し、各々の運転コースを選択できるアイコンを表示できる。
【０１０２】
一実施の形態の洗濯機制御システムの制御方法は、前記複数の運転コースのうち、少なくとも何れか一つを選択するステップ（Ｓ５７０）、洗濯機に前記選択された運転コースを送信するステップ（Ｓ５８０）、及び洗濯機が選択された運転コースを受信し、受信した運転コースに対応して洗濯運転を行うステップをさらに含むことができる。複数の運転コースのうち、何れか一つの運転コースが選択された場合、携帯用機器は、洗濯機のタグ部にタグするよう要請できる。
【０１０３】
運転コース目録が表示された場合、ユーザは、運転コースを選択できる（Ｓ５７０）。携帯用機器は、ユーザが運転コースを選択した場合、選択された運転コースを表示できる。例えば、携帯用機器は、ユーザが選択した運転コースを説明する情報を表示できる。携帯用機器は、ユーザが運転コースを選択した場合、洗濯機とタグしろとの情報を表示できる。
【０１０４】
携帯用機器は、洗濯機とタグされた場合、選択された運転コースを送信できる（Ｓ５８０）。洗濯機は、運転コース情報を受信した場合、正しく受信されたことを表示できる。例えば、洗濯機は、視覚的な信号及び聴覚的な信号を出力できるが、その手段に限定しない。
【０１０５】
洗濯機は、選択された運転コースに関する情報を受信することができる。洗濯機は、選択された運転コースに関する情報を受信した場合、受信した運転コースに基づいて洗濯運転を行うことができる。
【０１０６】
図１３は、本発明の一実施の形態による洗濯機制御システムの通信過程を示す呼処理図である。
【０１０７】
図１３を参照すると、洗濯機の制御部２１０とタグ部２４０との通信関係及びタグ部２４０と携帯用機器２との間の通信関係を把握できる。
【０１０８】
携帯用機器２は、運転コース選択モードを実行できる（Ｓ６１０）。携帯用機器２は、運転コース選択モードを実行した場合、ディスプレイへ洗濯機とタグされなければならないということを表示できる。
【０１０９】
携帯用機器２がタグ部２４０から一定距離以内に入る場合、タグ部２４０は、携帯用機器２にモデル情報を送信できる（Ｓ６２０）。携帯用機器２は、データを受信した場合、データが正しく受信されたかどうかを把握できる。
【０１１０】
携帯用機器２は、モデル情報に基づいて、運転コース選択モードが実行されることができるかどうかを把握できる（Ｓ６３０）。携帯用機器２は、洗濯機が運転コース選択モードを行うことができる製品であるかどうかを把握できる。
【０１１１】
携帯用機器２は、サーバ３から洗濯機のモデル情報に対応する運転コース目録を要請できる。携帯用機器２は、サーバ３から洗濯機のモデル情報に対応する運転コースに関する情報を含む運転コース目録を受信することができる（Ｓ６４０）。
【０１１２】
携帯用機器２は、運転コース目録を表示できる。携帯用機器２は、運転コース目録が含む複数の運転コースのうち、少なくとも何れか一つが選択されることができるように表示できる。携帯用機器２は、運転コースが選択された場合、洗濯機とタグされなければならないことを表示できる。
【０１１３】
携帯用機器２は、洗濯機のタグ部２４０とタグされた場合、運転コースデータ及びＣＲＣコードを送信できる（Ｓ６６２）。タグ部２４０は、データを受信した場合、ＣＲＣコードが正しく受信されたかどうかを把握できる（Ｓ６６４）。タグ部２４０が受信したデータがエラーが発生しなかったことを確認した場合、携帯用機器２は、タグ部に運転コースデータを送信したことを表すデータを残すことができる（Ｓ６６６）。
【０１１４】
各々のデータが送受信される場合、エラーが発生するかどうかを判断するプロセスが行われることができるが、その方式に限定しない。一実施の形態として本洗濯機制御システムは、ＣＲＣ方式を使用することができる。
【０１１５】
洗濯機の制御部２１０は、タグ部２４０のタグモードを判断できる（Ｓ６７２）。例えば、タグ部２４０が現在他の外部機器とタグされて通信中であるかどうかを把握できる。制御部２１０は、タグ部２４０が現在他の外部機器と通信していない場合、運転コースデータをタグ部２４０から受信することができる。
【０１１６】
制御部２１０は、データを受信した場合、ＣＲＣコードが正しく受信されたかどうかを把握できる（Ｓ６７６）。タグ部２４０が受信したデータがエラーが発生しなかったことを確認した場合、制御部２１０は、タグ部２４０に運転コースデータを受信したことを表すデータを残すことができる（Ｓ６７８）。
【０１１７】
洗濯機の制御部２１０は、受信した運転コースデータに基づいて、洗濯機の運転を実行できる（Ｓ６８０）。
【０１１８】
本発明の実施の形態を構成するすべての構成要素が一つに結合されるか、または結合されて動作すると説明されたとして、本発明が必ずこのような実施の形態に限定されるものではない。本発明の目的範囲内であれば、実施の形態によっては、すべての構成要素が一つ以上に選択的に結合して動作しても良い。
【０１１９】
すべての構成要素が各々一つの独立的なハードウェアにより具現化されることができるが、各構成要素のその一部または全てが選択的に組み合わせられて一つまたは複数のハードウェアで組み合わせられた一部または全ての機能を行うプログラムモジュールを有するコンピュータプログラムとして具現化されることもできる。
【０１２０】
コンピュータプログラムを構成する複数のコード及びコードセグメントは、本発明の技術分野における通常の知識を有した者によって容易に推論できるはずである。このようなコンピュータプログラムは、コンピュータが読み出すことのできる格納媒体（Ｃｏｍｐｕｔｅｒ  Ｒｅａｄａｂｌｅ  Ｍｅｄｉａ）に格納されて、コンピュータによって読み出されるか実行されることによって、本発明の実施の形態を具現できる。コンピュータプログラムの格納媒体としては、磁気記録媒体、光記録媒体、キャリアウェーブ媒体などが備えられることができる。
【０１２１】
以上記載された「含む」、「備える」、「構成する」または「有する」などの用語は、特に反対の記載がない限り、該当構成要素が内在されうることを意味するものであるから、他の構成要素を除くことではなく、他の構成要素をさらに含むことができると解析されねばならない。
【０１２２】
技術的または科学的な用語を含んだすべての用語は、異なって定義されない限り、本発明が属する技術分野における通常の知識を有した者により、一般的に理解されるものと意味を持つ。
【０１２３】
辞書に定義された用語のように通常使用される用語は、関連技術の文脈上の意味と一致するものと解釈されなければならず、本発明において明白に定義しない限り、理想的または過度に形式的な意味として解析されない。
【０１２４】
以上の説明は、本発明の技術思想を例示的に説明したものに過ぎないから、本発明が属する技術分野における通常の知識を有した者であれば、本発明の本質的な特性から逸脱しない範囲内で多様な修正及び変形が可能であるはずである。
【０１２５】
以上、本発明に開示された実施の形態は、本発明の技術思想を限定するためのものではなく説明するためのものであり、このような実施の形態によって本発明の技術思想の範囲が限定されるものではない。本発明の保護範囲は、下記の請求の範囲によって解釈されねばならず、それと同等の範囲内にあるすべての技術思想は、本発明の権利範囲に含むものと解釈されねばならない。
【符号の説明】
【０１２６】
１    洗濯機
１１０    ドア
１２０    表示装置
１３０    ボタン
１４０    タグ部
２    携帯用機器
３    サーバ
【図１】
2014200691.tif 000003
【図２】
2014200691.tif 000004
【図３】
2014200691.tif 000005
【図４】
2014200691.tif 000006
【図５】
2014200691.tif 000007
【図６】
2014200691.tif 000008
【図７】
2014200691.tif 000009
【図８】
2014200691.tif 000010
【図９】
2014200691.tif 000011
【図１０】
2014200691.tif 000012
【図１１】
2014200691.tif 000013
【図１２】
2014200691.tif 000014